(57)【要約】【課題】ボディの強度を向上させて、保管時や組立時、或いは半田リフロー後にボディが変形するのを抑制したメモリカード用ソケットを提供する。【解決手段】ソケットＡは、前端部の開口からメモリカードがスライドして挿抜される扁平な箱状のハウジング１と、メモリカードに設けた接続端子に接触する複数本のコンタクト６とを備える。ハウジング１は、複数本のコンタクト６を保持するベース板２１とベース板２１の両端部から一方向に突出するアーム２２ａ，２２ｂとで略コ字形に形成され、ベース板２１及びアーム２２ａ，２２ｂの外側縁から後面板２３及び側面板２４ａ，２４ｂが立設された樹脂製のボディ２と、ボディ２に被着される金属製のシェル３とで構成され、アーム２２ａ，２２ｂの先端部間は、ボディ２と一体に形成され、その中間部が中間部以外の部位よりも幅広に形成された連結板２８を介して互いに連結されている。【選択図】　　　図１
2004087298.tif 000002
【特許請求の範囲】
【請求項１】
一側面が開口した扁平な箱形であって、前記開口からメモリカードがスライドして挿抜されるハウジングと、ハウジングに保持され、回路基板の導電パターンに電気的に接続されるとともにメモリカードに設けた接続端子に接触する複数本のコンタクトとを備え、
前記ハウジングを、前記複数本のコンタクトを保持する中央片と該中央片の両端部から一方向に突出する両側片とで略コ字形に形成され、中央片及び両側片の外側縁から側壁が立設された樹脂製のボディと、前記ボディの側壁で囲まれる空間を覆うようにしてボディに被着される金属製のシェルとで構成し、前記ボディの両側片の先端部間を連結する連結片をボディと一体に設け、前記連結片の中間部を当該連結片における中間部以外の部位よりも幅広に形成したことを特徴とするメモリカード用ソケット。
【請求項２】
上記連結片を、両側片との連結部位から中間部にかけて幅寸法が徐々に大きくなるような形状に形成したことを特徴とする請求項１記載のメモリカード用ソケット。
【請求項３】
一側面が開口した扁平な箱形であって、前記開口からメモリカードがスライドして挿抜されるハウジングと、ハウジングに保持され、回路基板の導電パターンに電気的に接続されるとともにメモリカードに設けた接続端子に接触する複数本のコンタクトとを備え、
前記ハウジングを、前記複数本のコンタクトを保持する中央片と該中央片の両端部から一方向に突出する両側片とで略コ字形に形成され、中央片及び両側片の外側縁から側壁が立設された樹脂製のボディと、前記ボディの側壁で囲まれる空間を塞ぐようにしてボディに取り付けられる金属製のシェルとで構成し、
両側片からそれぞれ立設された側壁の先端部に圧入固定され、前記シェルに導通するとともに回路基板のアースパターンに電気的に接続される一対の金具を設け、一対の金具の間を連結する連結片を前記金具と一体に形成したことを特徴とするメモリカード用ソケット。
【請求項４】
前記連結片に補強用のリブを形成したことを特徴とする請求項３記載のメモリカード用ソケット。
【発明の詳細な説明】
【０００１】
【発明の属する技術分野】
本発明は、ＳＤメモリカードのようなメモリカードを挿抜自在に接続するためのコネクタ装置に関するものである。
【０００２】
【従来の技術】
従来より、メモリカードと回路基板とを接続するメモリカード用ソケット（以下、ソケットと略称する）として、例えば図９（ａ）（ｂ）及び図１０に示すものが提案されている。尚、以下の説明では、便宜上、図９（ａ）の矢印ａ方向を前方向、矢印ｂ方向を後方向、矢印ｃ方向を左方向、矢印ｄを右方向、矢印ｅ方向を上方向、矢印ｆ方向を下方向として説明を行う。
【０００３】
このソケットＡは、ＳＤメモリカードのようなメモリカードＢに用いるものであり、樹脂成型品のボディ２及び金属製のシェル３からなるハウジング１と、スライダー４と、このスライダー４を前方へ付勢するコイルばね５と、ボディ２のベース板２１に保持された複数本のコンタクト６…と、スライダー４に設けたスリット溝４ｄに一端が圧入されるとともに、メモリカードＢが装着された状態でメモリカードＢのロック用切欠１０２に他端が係合するカードロック７と、スライダー４の側面に設けたハートカム溝部４ｃに一端の軸部を係入するロックピン８などで構成され、スライダー４、コイルばね５及びコンタクト６…などを保持させたボディ２にシェル３をスライド圧入することで、ハウジング１が形成される。そして、ボディ２の左右の側面板２４ａ，２４ｂの前端部に圧入固定した保持金具９，９とコンタクト６…とを回路基板に半田付けすることによって、ソケットＡが回路基板に固定されるようになっている。尚、ボディ２とシェル３とを結合した状態では、保持金具９の当接片９ｃがシェル３に当接しているので、保持金具９を回路基板のアースパターンに半田付けすることで、シェル３がアースされる。
【０００４】
スライダー４は、ボディ２の右側の側壁の内面に沿って移動自在に配置されており、メモリカードＢの挿入時には挿入されるメモリカードＢによって押されることでコイルばね５の付勢に抗して後方移動し、コンタクト６…がメモリカードＢの裏面に設けた接続端子（図示せず）に接する所定位置で挿入力が解除されるとコイルばね５の付勢と、ハートカム溝部４ｃに対するロックピン８の軸部の係合とでスライダー４の移動位置がロックされるようなっている。
【０００５】
そして、ソケットＡに挿着したメモリカードＢを取り外す際には、一旦メモリカードＢを挿入方向（後方）に押すことで、ハートカム溝部４ｃとロックピン８の軸部との係合状態が解除され、その後メモリカードＢを押す力が無くなると、コイルばね５の付勢力でスライダー４が前方へ移動してメモリカードＢを押し出すようになっている。
【０００６】
【発明が解決しようとする課題】
ところで、上述したソケットＡのボディ２は、矩形板状のベース板２１と、ベース板２１の長手方向の両側縁に沿って一方向に突出する一対のアーム２２ａ，２２ｂとで略コ字形に形成され、ベース板２１及びアーム２２ａ，２２ｂの外側縁からそれぞれ後面板２３及び側面板２４ａ，２４ｂが立設されているが、アーム２２ａ，２２ｂの先端部間が互いに連結されていないため、その強度が弱かった。そのため、保管時や組立時にアーム２２ａ，２２ｂに反りやひねりが発生しやすく、アーム２２ａ，２２ｂの先端部に圧入した保持金具９，９が浮き上がった状態となって（図１１参照）、平坦度不良や半田不良が発生したり、メモリカードＢの挿抜に支障を来すという問題があった。
【０００７】
そこで、図１２（ａ）（ｂ）及び図１３に示すように、アーム２２ａ，２２ｂの先端部間を帯板状の連結板２７を介して連結することで、ボディ２の強度を向上させたものも提案されているが、連結板２７の幅寸法を一定にしているため、樹脂成型時に連結板の中間部にウエルドが発生しやすく、中間部の成型強度（ウエルド強度）が低下するという問題があった。また、連結板２７の中間部の強度が低いために、半田リフロー後に連結板２７が変形して、中間部が浮き上がった状態となる場合があり（図１４参照）、この浮き上がった部位がメモリカードＢと干渉して、メモリカードＢの挿抜時にメモリカードＢの摺動性が悪化するという問題もあった。
【０００８】
本発明は上記問題点に鑑みて為されたものであり、その目的とするところは、ボディの強度を向上させて、保管時や組立時、或いは半田リフロー後にボディが変形するのを抑制したメモリカード用ソケットを提供することにある。
【０００９】
【課題を解決するための手段】
上記目的を達成するために、請求項１の発明では、一側面が開口した扁平な箱形であって、開口からメモリカードがスライドして挿抜されるハウジングと、ハウジングに保持され、回路基板の導電パターンに電気的に接続されるとともにメモリカードに設けた接続端子に接触する複数本のコンタクトとを備え、ハウジングを、複数本のコンタクトを保持する中央片と該中央片の両端部から一方向に突出する両側片とで略コ字形に形成され、中央片及び両側片の外側縁から側壁が立設された樹脂製のボディと、ボディの側壁で囲まれる空間を覆うようにしてボディに被着される金属製のシェルとで構成し、ボディの両側片の先端部間を連結する連結片をボディと一体に設け、連結片の中間部を当該連結片における中間部以外の部位よりも幅広に形成したことを特徴とする。
【００１０】
請求項２の発明では、請求項１の発明において、上記連結片を、両側片との連結部位から中間部にかけて幅寸法が徐々に大きくなるような形状に形成したことを特徴とする。
【００１１】
請求項３の発明では、一側面が開口した扁平な箱形であって、開口からメモリカードがスライドして挿抜されるハウジングと、ハウジングに保持され、回路基板の導電パターンに電気的に接続されるとともにメモリカードに設けた接続端子に接触する複数本のコンタクトとを備え、ハウジングを、複数本のコンタクトを保持する中央片と該中央片の両端部から一方向に突出する両側片とで略コ字形に形成され、中央片及び両側片の外側縁から側壁が立設された樹脂製のボディと、ボディの側壁で囲まれる空間を塞ぐようにしてボディに取り付けられる金属製のシェルとで構成し、両側片からそれぞれ立設された側壁の先端部に圧入固定され、シェルに導通するとともに回路基板のアースパターンに電気的に接続される一対の金具を設け、一対の金具の間を連結する連結片を金具と一体に形成したことを特徴とする。
【００１２】
請求項４の発明では、請求項３の発明において、連結片に補強用のリブを形成したことを特徴とする。
【００１３】
【発明の実施の形態】
本発明の実施の形態を図面に基づいて説明する。
【００１４】
（実施形態１）
本発明の実施形態１を図１（ａ）（ｂ）及び図２を参照して説明する。尚、本実施形態の基本的な構成は従来構成と同様であるから、共通する構成要素には同一の符号を付してその説明は省略する。
【００１５】
本実施形態で用いるメモリカードＢはＳＤメモリカードであって、図２に示すように外周形状が矩形状になっており、図２における右上角部を落として逆差し防止用の切欠部１０１が形成されている。メモリカードＢにおいて切欠部１０１を形成した一方の側縁には矩形状に陥没したロック用切欠１０２が設けられている。また、メモリカードＢの裏面側には複数個の接続端子（図示せず）が設けられており、さらに裏面側の両側部には、表面側の幅よりも裏面側の幅を狭くする段部１０３が形成されている。
【００１６】
一方、本実施形態のソケットＡは、樹脂成型品のボディ２と、厚さが極薄いステンレス金属板を打ち抜き且つ曲げ加工することにより形成され、ボディ２上に被着することで扁平で前部にメモリカード挿入口１ａが開口した箱状のハウジング１をボディ２とともに構成するシェル３と、ハウジング１内に前後方向に移動自在に配置されるスライダー４と、このスライダー４を前方へ付勢するコイルばね５と、ボディ２に保持された複数本（９本）のコンタクト６…と、スライダー４に設けたスリット溝４ｄに一端が圧入されるとともに、メモリカードＢが装着された状態でメモリカードＢのロック用切欠１０２に他端が係合するカードロック７と、スライダー４の側面に設けたハートカム溝部４ｃに一端の軸部を係入するロックピン８などで構成される。
【００１７】
ボディ２は、メモリカードＢの裏面の一部に対向する矩形平板状のベース板２１（中央片）を有し、ベース板２１の長手方向両端の側縁に沿って一方に伸びるアーム２２ａ，２２ｂ（側片）をベース板２１と一体に形成してあり、さらにアーム２２ａ，２２ｂの先端部間を略矩形板状であって中間部の後縁に半円形の突片２８ａが突設された連結板２８（連結片）で一体に連結してある。アーム２２ａ，２２ｂとベース板２１とは１つの側縁を共有しており、この側縁にはベース板２１の上面側に後面板２３が立設されている。また右側のアーム２２ａの右側縁には側面板２４ａが立設され、左側のアーム２２ｂの左側縁には側面板２４ｂが立設されている。
【００１８】
ボディ２のベース板２１には、メモリカードＢの裏面に設けた複数個の接続端子に夫々接触する複数本のコンタクト６…が保持されている。
【００１９】
ボディ２の両側面板２４ａ，２４ｂの前端部の内側面には、それぞれ、上下方向に沿って延びる凹溝２５，２５が形成されている。各凹溝２５の左右方向に沿う端面には上面側に開放された圧入溝２５ａが形成されており、この圧入溝２５ａには保持金具９が圧入されている。保持金具９は、例えば銅合金の帯板を折曲することによって断面Ｌ字形に形成され、両側縁が圧入溝２５ａに圧入される圧入固定片９ａと、圧入固定片９ａの下側縁から圧入固定片９ａと略直交する方向に突出する端子片９ｂとで構成される。而して、端子片９ｂを下側にして保持金具９の圧入固定片９ａを凹溝２５内に上側から圧入すると、圧入固定片９ａの両側縁が圧入溝２５ａに圧入されて、保持金具９が凹溝２５内に固定される。この時、端子片９ｂの下面はアーム２２ａ，２２ｂの下面と略面一になっている。
【００２０】
また、アーム２２ａの左側の側縁部とアーム２２ｂの右側の側縁部には、メモリカードＢの段部１０３に噛み合ってメモリカードＢの左右方向への移動を規制するカードガイド２６がそれぞれ設けられており、メモリカードＢはカードガイド２６に沿ってスライドする。各々のカードガイド２６の前端部には前面に向かってシェル３に対する距離を広げるように傾斜したカード導入部２６ａが設けられており、ボディ２とシェル３との間にメモリカードＢを挿入する際にはカード導入部２６ａによってメモリカードＢが案内されるから、メモリカードＢの挿入作業が容易になる。
【００２１】
また、一方のアーム２２ａ上には、メモリカードＢの挿抜に伴ってハウジング１に対してスライド可能なスライダー４が載置されている。スライダー４は合成樹脂成型品であって、アーム２２ａに設けたカードガイド２６と側面板２４ａとの間で前後方向に移動可能な本体部４ａと、本体部４ａの後端部からカードガイド２６とシェル３との間を通ってメモリカードＢ側に延びメモリカードＢの前面と切欠部１０１とに当接する当接部４ｂとを有する。この、スライダー４はメモリカードＢの挿入時には挿入されるメモリカードＢによって当接部４ｂが押されることでコイルばね５の付勢に抗して後方移動し、コンタクト６…がメモリカードＢの裏面に設けた接続端子（図示せず）に接する所定位置で挿入力が解除されるとコイルばね５の付勢と、ハートカム溝部４ｃに対するロックピン８の軸部の係合とでスライダー４の移動位置がロックされるようなっている。
【００２２】
そして、ソケットＡに挿着したメモリカードＢを取り外す際には、一旦メモリカードＢを挿入方向に押すことで、ハートカム溝部４ｃとロックピン８の軸部との係合状態が解除され、その後メモリカードＢの押す力が無くなると、コイルばね５の付勢力でスライダー４が前方へ移動してメモリカードＢを押し出すようになっている。
【００２３】
一方、シェル３は断面コ字状に形成され、側面板２４ａ，２４ｂに外側から重なる形でボディ２と結合される。シェル３の左右両側面の下側縁には、ボディ２の側面板２４ａ，２４ｂに設けた係合突起２４ｃに対応する部位に、係合突起２４と係合するＬ字状の係合溝３ａがそれぞれ形成されている。また、シェル３の上面と左右両側面との角部の後端部には、ボディ２の後面板２３の左右両端部に突設した係止突起２３ａが嵌り込む切欠３ｂがそれぞれ形成されている。
【００２４】
而して、ボディ２とシェル３とを結合する際には、シェル３をボディ２に対して前方に少しずらした状態で、シェル３をボディ２の上側から被せて、ボディ２の係合突起２４ｃをシェル３の係合溝３ａ内に挿入した後、シェル３を後方にスライドさせると、係合突起２４ｃが係合溝３ａの端縁に係合するとともに、ボディ２の係止突起２３ａがシェル３の切欠３ｂに挿入されて、ボディ２とシェル３とが結合される。また、シェル３の左右両側面の前端部下側縁には内方に向かって突出する押さえ片３ｃ，３ｃが突設されており、ボディ２とシェル３とを結合すると、押え片３ｃ，３ｃとシェル３の上面との間でボディ２の両側面板２４ａ，２４ｂを抱え込むようになっている。
【００２５】
ここで、右側の側面板２４ａの前端部には、前面及び上面側が開放され凹溝２５に連通する通し溝２４ｄが形成されており、シェル３をボディ２にスライド圧入すると、シェル３の一部を切り起こして形成された接触片３ｄが通し溝２４ｄ内に挿入されて、側面板２４ａの凹溝２５内に圧入された保持金具９の当接片９ｃと接触する。また、左側の側面板２４ｂの凹溝２５内に圧入された保持金具９の当接片９ｃは、側面板２４ｂに形成された溝を通して側面板２４ｂの左側の側面から突出しており、シェル３の内面と接触するようになっている。したがって、両側面板２４ａ，２４の凹溝２５内にそれぞれ圧入固定された保持金具９の端子片９ｂを回路基板のアースパターンに半田付けすることで、シェル３が接地されるようになっている。
【００２６】
上述のように本実施形態のソケットＡでは、ボディ２を、複数本のコンタクト６…を保持する略矩形状のベース板２１と、ベース板２１の両端部から一方向に突出するアーム２２ａ，２２ｂとで略コ字形に形成し、ベース板２１及びアーム２２ａ，２２ｂの外側縁からそれぞれ後面壁２３及び側面板２４ａ，２４ｂを立設してあり、さらにアーム２２ａ，２２ｂの先端部間を互いに連結する連結板２８をボディ２と一体に形成しているので、ボディ２（アーム２２ａ，２２ｂ）の強度を強くして、保管時や組立時に反りやひねりが発生するのを抑制することができる。さらに、連結板２８の中間部の後縁に半円形の突片２８ａを一体に形成することで、連結板２８の中間部を、当該連結板２８における中間部以外の部位よりも幅広に形成しているので、連結板２８の中間部にウエルドが発生しにくくなり、その結果、連結板２８の成型強度（ウエルド強度）が向上し、半田リフロー後の連結板２８の変形が抑制されて、カード挿抜時のメモリカードの摺動性が向上するという利点がある。
【００２７】
（実施形態２）
本発明の実施形態２を図３（ａ）（ｂ）及び図４を参照して説明する。尚、本実施形態の基本的な構成は実施形態１と同様であるから、共通する構成要素には同一の符号を付してその説明は省略する。
【００２８】
上述の実施形態１では、連結板２８の中間部の後縁に半円形の突片２８ａを突設することで、連結板２８の中間部を、連結板２８における中間部以外の部位よりも幅広に形成しているのに対して、本実施形態では連結板２８（連結片）の後側の辺２８ｂを円弧状に形成することで、連結板２８の幅寸法を、アーム２２ａ，２２ｂとの連結部位から中間部にかけて徐々に幅広になるように形成している。
【００２９】
すなわち、本実施形態ではボディ２を、複数本のコンタクト６…を保持する略矩形状のベース板２１と、ベース板２１の両端部から一方向に突出するアーム２２ａ，２２ｂとで略コ字形に形成し、ベース板２１及びアーム２２ａ，２２ｂの外側縁からそれぞれ後面壁２３及び側面板２４ａ，２４ｂを立設してあり、さらにアーム２２ａ，２２ｂの先端部間を互いに連結する連結板２８をボディ２と一体に形成しているので、ボディ２（アーム２２ａ，２２ｂ）の強度を強くして、保管時や組立時に反りやひねりが発生するのを抑制することができる。さらに、連結板２８の後側の辺２８ｂを円弧状に形成することで、連結板２８の中間部の幅寸法を、連結板２８における中間部以外の部位よりも幅広に形成しているので、連結板２８の中間部にウエルドが発生しにくくなり、その結果、連結板２８の成型強度（ウエルド強度）が向上し、半田リフロー後の連結板２８の変形が抑制されて、カード挿抜時のメモリカードの摺動性が向上するという利点がある。そのうえ更に、連結板２８は、アーム２２ａ，２２ｂとの連結部位から中間部にかけて徐々に幅寸法が広がるような形状に形成されているので、実施形態１のように連結板２８の中間部に突片２７を形成した場合に比べて樹脂成型時に滑らかな樹脂流動性が得られ、ウエルドの発生を抑制して、成型強度（ウエルド強度）をさらに高めることができ、リフロー後の連結板２８の変形を抑制して、カード挿抜時のメモリカードの摺動性をさらに向上させることができる。
【００３０】
（実施形態３）
本発明の実施形態３を図５（ａ）（ｂ）及び図６を参照して説明する。尚、本実施形態の基本的な構成は実施形態１と同様であるから、共通する構成要素には同一の符号を付してその説明は省略する。
【００３１】
上述の実施形態１，２では、アーム２２ａ，２２ｂの先端部間を連結する連結板２８をボディ２と一体に形成することで、ボディ２の強度を向上させているのに対して、本実施形態ではボディ２を、複数本のコンタクト６…を保持する略矩形状のベース板２１と、ベース板２１の両端部から一方向に突出するアーム２２ａ，２２ｂとで略コ字形に形成し、ベース板２１及びアーム２２ａ，２２ｂの外側縁からそれぞれ後面壁２３及び側面板２４ａ，２４ｂを立設してある。また実施形態１，２では、左右の側面板２４ａ，２４ｂに設けた凹溝２５，２５に、それぞれ保持金具９，９を個別に圧入固定しているのに対して、本実施形態では、２個の保持金具（金具）９，９を連結片９ｄを介して連結することで一体化し、一体化した保持金具体９’を両側面板２４ａ，２４ｂの凹溝２５，２５に一括して圧入固定している。
【００３２】
保持金具体９’は、例えば銅合金の帯板を打ち抜き且つ曲げ加工することによって、上述した２個の保持金具９を連結片９ｄで連結したような形状に形成されており、細長の連結片９ｄと、連結片９ｄの長手方向の両端部から立設された圧入固定片９ａ，９ａとで断面略コ字形に形成され、圧入固定片９ａ，９ａの下側縁からは、それぞれ連結片９ｄを打ち抜くことによって回路基板に半田付けされる端子片９ｂ，９ｂが延出形成されている。
【００３３】
このように、本実施形態では２個の保持金具９，９を一体化して保持金具体９’を形成しており、連結片９ｄを下側にして保持金具体９’の圧入固定片９ａ，９ａを両側面板２４ａ，２４ｂの凹溝２５，２５内に上側から圧入すると、各々の圧入固定片９ａの両側縁が圧入溝２５ａに圧入されて、圧入固定片９ａが凹溝２５内に固定されるのである。したがって、両側面板２４ａ，２４ｂの凹溝２５，２５内に圧入固定される圧入固定片９ａ，９ａ（金具）が、圧入固定片９ａ，９ａと一体に形成された連結片９ｄを介して連結されるので、アーム２２ａ，２２ｂの先端部間が連結片９ｄを介して連結されることになり、ボディ２（アーム２２ａ，２２ｂ）の強度が向上して、保管時や組立時に反りやひねりが発生するのを抑制することができる。また、実施形態１，２ではボディ２と一体に形成した連結板２８でアーム２２ａ，２２ｂの先端部間を連結しているため、ウエルドが発生して連結板２８の強度に影響を与える可能性もあるが、本実施形態ではアーム２２ａ，２２ｂの先端部間を金属製の連結片９ｄにより連結しているので、ウエルドの影響はなく、ボディ２の強度を大幅に向上させることができる。また、本実施形態では２個の保持金具９，９を連結片９ｄを介して連結することで一体化し、一体化した保持金具体９’をボディ２の両側面板２４ａ，２４ｂに設けた凹溝２５，２５内に一括して圧入固定しているので、組立作業の効率化が図れるという利点もある。
【００３４】
尚、本実施形態では保持金具体９’の連結片９ｄを平板状に形成しているが、図７（ａ）（ｂ）及び図８に示すように、連結片９ｄの短幅方向における中間部を下面側から打ち出すことで、上方に突出する補強用のリブ９ｅを形成しても良く、リブ９ｅを形成することで連結片９ｄの強度をさらに強くして、ボディ２の強度をより向上させることができる。
【００３５】
【発明の効果】
上述のように、請求項１の発明は、一側面が開口した扁平な箱形であって、開口からメモリカードがスライドして挿抜されるハウジングと、ハウジングに保持され、回路基板の導電パターンに電気的に接続されるとともにメモリカードに設けた接続端子に接触する複数本のコンタクトとを備え、ハウジングを、複数本のコンタクトを保持する中央片と該中央片の両端部から一方向に突出する両側片とで略コ字形に形成され、中央片及び両側片の外側縁から側壁が立設された樹脂製のボディと、ボディの側壁で囲まれる空間を覆うようにしてボディに被着される金属製のシェルとで構成し、ボディの両側片の先端部間を連結する連結片をボディと一体に設け、連結片の中間部を当該連結片における中間部以外の部位よりも幅広に形成したことを特徴とし、ボディの両側片の先端部間を連結片で連結しているので、ボディの強度が向上し、保管時や組立時などに両側片に反りやひねりが発生するのを抑制して、回路基板との実装面の平坦度が向上するという効果がある。しかも、ボディと一体に樹脂で成型された連結片は、その中間部が当該連結片における中間部以外の部位よりも幅広に形成されているので、ウエルドの発生を抑制して、成型強度（ウエルド強度）を向上させることができ、リフロー時の熱で連結片が変形するのを抑制して、カード挿抜時のメモリカードの摺動性が向上するという効果もある。
【００３６】
請求項２の発明は、請求項１の発明において、上記連結片を、両側片との連結部位から中間部にかけて幅寸法が徐々に大きくなるような形状に形成したことを特徴とし、請求項１の発明の効果に加えて、ボディと一体に樹脂で成型された連結片は、両側片との連結部位から中間部にかけて徐々に幅広に形成されているので、成型時の樹脂の流動性をよりなめらかにでき、ウエルドの発生を抑制して、成型強度（ウエルド強度）がさらに向上するという効果がある。
【００３７】
請求項３の発明は、一側面が開口した扁平な箱形であって、開口からメモリカードがスライドして挿抜されるハウジングと、ハウジングに保持され、回路基板の導電パターンに電気的に接続されるとともにメモリカードに設けた接続端子に接触する複数本のコンタクトとを備え、ハウジングを、複数本のコンタクトを保持する中央片と該中央片の両端部から一方向に突出する両側片とで略コ字形に形成され、中央片及び両側片の外側縁から側壁が立設された樹脂製のボディと、ボディの側壁で囲まれる空間を塞ぐようにしてボディに取り付けられる金属製のシェルとで構成し、両側片からそれぞれ立設された側壁の先端部に圧入固定され、シェルに導通するとともに回路基板のアースパターンに電気的に接続される一対の金具を設け、一対の金具の間を連結する連結片を金具と一体に形成したことを特徴とし、両側片の先端部間を、金具と一体に形成した連結片で連結しているので、ボディの強度が向上し、保管時や組立時などに両側片に反りやひねりが発生するのを抑制して、回路基板との実装面の平坦度が向上するという効果がある。しかも、両側片の先端部間を連結する連結片が金属で形成されているので、ボディと一体に形成した樹脂製の連結片で連結する場合のようにウエルドの影響がなく、ボディの強度がさらに向上し、カード挿抜時のメモリカードの摺動性が向上するという効果もある。そのうえ、一対の金具を連結片を介して連結しているので、一対の金具をボディの側壁に一括して圧入固定することができ、組立作業の効率化が図れるという効果もある。
【００３８】
請求項４の発明は、請求項３の発明において、連結片に補強用のリブを形成したことを特徴とし、請求項３の発明の効果に加えて、補強用のリブによって連結片の強度を強くしているので、ボディの強度がさらに向上し、保管時や組立時などに両側片に反りやひねりが発生するのを抑制して、回路基板との実装面の平坦度を向上させることができ、またカード挿抜時のメモリカードの摺動性が向上するという効果もある。
【図面の簡単な説明】
【図１】実施形態１のメモリカード用ソケットを示し、（ａ）は分解斜視図、（ｂ）は保持金具の斜視図である。
【図２】同上の斜視図である。
【図３】実施形態２のメモリカード用ソケットを示し、（ａ）は分解斜視図、（ｂ）は保持金具の斜視図である。
【図４】同上の斜視図である。
【図５】実施形態３のメモリカード用ソケットを示し、（ａ）は分解斜視図、（ｂ）は保持金具の斜視図である。
【図６】同上の斜視図である。
【図７】同上の別のメモリカード用ソケットを示し、（ａ）は分解斜視図、（ｂ）は保持金具の斜視図である。
【図８】同上の斜視図である。
【図９】従来のメモリカード用ソケットの分解斜視図を示し、（ａ）は分解斜視図、（ｂ）は保持金具の斜視図である。
【図１０】同上の斜視図である。
【図１１】同上の側面図である。
【図１２】従来の別のメモリカード用ソケットを示し、（ａ）は分解斜視図、（ｂ）は保持金具の斜視図である。
【図１３】同上の斜視図である。
【図１４】同上の側面図である。
【符号の説明】
Ａ　　ソケット
１　　ハウジング
２　　ボディ
３　　シェル
６　　コンタクト
２１　ベース板
２２ａ，２２ｂ　アーム
２３　後面板
２４ａ，２４ｂ　側面板
２８　連結板
【図１】
2004087298.tif 000003
【図２】
2004087298.tif 000004
【図３】
2004087298.tif 000005
【図４】
2004087298.tif 000006
【図５】
2004087298.tif 000007
【図６】
2004087298.tif 000008
【図７】
2004087298.tif 000009
【図８】
2004087298.tif 000010
【図９】
2004087298.tif 000011
【図１０】
2004087298.tif 000012
【図１１】
2004087298.tif 000013
【図１２】
2004087298.tif 000014
【図１３】
2004087298.tif 000015
【図１４】
2004087298.tif 000016